(57)【要約】【課題】画像出力装置が表示する画像の色と表示装置が表示する画像の色との違いの発生を抑制する。【解決手段】色調整システム１０００は、画像を表示し、該画像を出力する画像出力装置２００と、該画像出力装置２００から出力される該画像を表示する表示装置１００とを含む。色調整システム１０００は、表示部２４０が表示画像ＭＧ１を表示し、表示装置１００が、画像出力装置２００から出力されている画像を表示した状態で、複数種類の色調整パラメータ６１のいずれかに基づいて、表示画像ＭＧ１の色を調整する色調整処理を行う。【選択図】図１
2014222804.tif 000002
【特許請求の範囲】
【請求項１】
画像を表示し、該画像を出力する画像出力装置と、該画像出力装置から出力される該画像を表示する表示装置とを含む色調整システムであって、
前記表示装置は、画像の色の調整を行うための複数種類の色調整パラメータを使用して画像の色を変化させる機能を有し、
前記画像出力装置は、
画像を表示する表示部を備え、
前記色調整システムは、
前記表示部が第１画像を表示し、前記表示装置が、前記画像出力装置から出力されている画像である第２画像を表示した状態で、前記複数種類の色調整パラメータのいずれかに基づいて、前記第１画像または前記第２画像の色を調整する色調整処理を行う
色調整システム。
【請求項２】
前記画像出力装置は、さらに、
前記第１画像を、前記表示装置が表示するための前記第２画像として、前記表示装置へ継続的に出力する通信部と、
前記複数種類の色調整パラメータのいずれかに基づいて、前記第１画像の色を調整する前記色調整処理を行う色調整部と、を備える
請求項１に記載の色調整システム。
【請求項３】
前記表示装置は、
前記複数種類の色調整パラメータを使用して、前記画像出力装置から出力されている前記第１画像の色を互いに異なるように変化させた複数の色変化画像を生成する画像処理部と、
前記第１画像と生成された前記複数の色変化画像とを、前記第２画像として表示する別の表示部と、を備え、
前記画像出力装置の前記色調整部は、前記複数の色変化画像のうち、選択された色変化画像と、前記第１画像との間における色の変化量に基づいて、前記色調整処理を行う
請求項２に記載の色調整システム。
【請求項４】
前記画像出力装置は、さらに、
前記第１画像を、前記表示装置が表示するための前記第２画像として、前記表示装置へ継続的に出力する通信部と、
前記複数種類の色調整パラメータのいずれかに基づいて、前記通信部が出力している前記第１画像の色を調整する前記色調整処理を行う色調整部と、を備える
請求項１に記載の色調整システム。
【請求項５】
前記画像出力装置は、さらに、
前記第１画像を、前記表示装置が表示するための前記第２画像として、前記表示装置へ継続的に出力する通信部を備え、
前記表示装置は、
前記画像出力装置から出力されている前記第１画像を、前記第２画像として表示する別の表示部と、
前記複数種類の色調整パラメータのいずれかに基づいて、該第２画像の色を調整する前記色調整処理を行う色調整部と、を備える
請求項１に記載の色調整システム。
【請求項６】
前記色調整パラメータは、画像の色合いを調整するためのＲＧＢゲインデータであり、
前記色調整処理は、前記ＲＧＢゲインデータを補正し、補正された該ＲＧＢゲインデータを使用して、色合いの調整を行う
請求項１〜５のいずれか１項に記載の色調整システム。
【請求項７】
前記表示装置は、液晶ディスプレイ、有機ＥＬ（Electroluminescence）ディスプレイおよびプラズマディスプレイのいずれかである
請求項１〜６のいずれか１項に記載の色調整システム。
【請求項８】
前記画像出力装置は、スマートフォン、携帯電話およびタブレット端末のいずれかである
請求項１〜７のいずれか１項に記載の色調整システム。
【請求項９】
外部から受信している画像を表示し、かつ、画像の色の調整を行うための複数種類の色調整パラメータを使用して画像の色を変化させる機能を有する表示装置へ画像を出力する画像出力装置であって、
前記表示装置が表示している画像と同じ画像を表示する表示部と、
前記表示部が第１画像を表示し、前記表示装置が、前記画像出力装置から出力されている画像である第２画像を表示した状態で、前記複数種類の色調整パラメータのいずれかに基づいて、前記第１画像の色を調整する色調整処理を行う色調整部と、を備える
画像出力装置。
【請求項１０】
前記画像出力装置は、さらに、
前記第１画像を、前記表示装置が表示するための前記第２画像として、前記表示装置へ継続的に出力する通信部を備え、
前記色調整部は、前記複数種類の色調整パラメータのいずれかに基づいて、前記通信部が出力している前記第１画像の色を調整する前記色調整処理を行う
請求項９に記載の画像出力装置。
【請求項１１】
前記表示装置は、さらに、前記複数種類の色調整パラメータを使用して、前記第１画像の色を互いに異なるように変化させた複数の色変化画像を表示し、
前記色調整部は、前記複数の色変化画像のうち、選択された色変化画像と、前記第１画像との間における色の変化量に基づいて、前記色調整処理を行う
請求項１０に記載の画像出力装置。
【請求項１２】
前記色調整パラメータは、画像の色合いを調整するためのＲＧＢゲインデータであり、
前記色調整部は、前記ＲＧＢゲインデータを補正し、補正された該ＲＧＢゲインデータを使用して、色合いの調整を行う前記色調整処理を行う
請求項９〜１１のいずれか１項に記載の画像出力装置。
【請求項１３】
前記画像出力装置は、スマートフォン、携帯電話およびタブレット端末のいずれかである
請求項９〜１２のいずれか１項に記載の画像出力装置。
【請求項１４】
画像を表示し、該画像を出力する画像出力装置と通信する表示装置であって、
前記画像出力装置から出力される画像を表示する表示部と、
画像の色の調整を行うための複数種類の色調整パラメータを記憶する記憶部と、
前記画像出力装置が第１画像を表示し、前記表示部が、前記画像出力装置から出力されている画像である第２画像を表示した状態で、前記複数種類の色調整パラメータのいずれかに基づいて、該第２画像の色を調整する色調整処理を行う色調整部と、を備える
表示装置。
【請求項１５】
前記表示装置は、さらに、
前記複数種類の色調整パラメータを使用して、前記画像出力装置から出力されている画像の色を互いに異なるように変化させた複数の色変化画像を生成する画像処理部を備え、
前記表示部は、前記第１画像と生成された前記複数の色変化画像とを、前記第２画像として表示し、
前記色調整部は、前記複数の色変化画像のうち、選択された色変化画像の生成のために使用された前記色調整パラメータを使用して、前記色調整処理を行う
請求項１４に記載の表示装置。
【請求項１６】
前記色調整パラメータは、画像の色合いを調整するためのＲＧＢゲインデータであり、
前記色調整部は、前記ＲＧＢゲインデータを補正し、補正された該ＲＧＢゲインデータを使用して、色合いの調整を行う
請求項１４または１５に記載の表示装置。
【請求項１７】
前記表示装置は、液晶ディスプレイ、有機ＥＬ（Electroluminescence）ディスプレイおよびプラズマディスプレイのいずれかである
請求項１４〜１６のいずれか１項に記載の表示装置。
【発明の詳細な説明】
【技術分野】
【０００１】
本発明は、画像の色を調整する色調整システム、画像出力装置および表示装置に関する。
【背景技術】
【０００２】
昨今、携帯端末の普及は著しいものがあり、特にスマートフォン、タブレット端末と呼ばれる、ＰＣ（Personal Computer）の機能を有する携帯端末が急速に普及している。
【０００３】
また、スマートフォン等の携帯端末は、一般的に、画像を外部へ出力するための出力端子を備えている。そのため、当該携帯端末は、出力端子を使用して、外部の表示装置と接続することが可能である。携帯端末と表示装置との接続には、ＨＤＭＩ（登録商標）（High-Definition Multimedia Interface）規格、ＭＨＬ（Mobile High Definition Link）規格等に従った接続が使用される。スマートフォンを表示装置に接続することにより、写真、動画等を、大画面を有する表示装置に表示させて楽しむことができる。以下においては、画像を外部の装置に出力する機能を有する装置を、画像出力装置ともいう。画像出力装置は、例えば、携帯端末等である。
【０００４】
画像出力装置が表示している画像を表示装置が表示する場合、以下の理由Ａにより、画像出力装置が表示している画像の色と、表示装置が表示している画像の色とが大きく異なる場合がある。この場合、画像の色調整が必要とされる。
【０００５】
上記の理由Ａは、例えば、画像出力装置および表示装置の各々が有する、表示部（例えば、表示パネル）の特性が異なるという理由である。また、理由Ａは、例えば、画像出力装置および表示装置の各々に含まれる色を調整する回路が行う色の制御量が異なるという理由である。
【０００６】
特許文献１には、画像の色調整を行うための技術（以下、関連技術Ａともいう）が開示されている。関連技術Ａでは、単一の色が印刷された印刷物（標本）と、ディスプレイが表示する、複数種類の単一の色のベタ画像とをユーザーが目視により比較する。そして、関連技術Ａでは、比較結果に基づいてユーザーがキーボード等により選択したベタ画像を用いて、印刷物の色と、ディスプレイが表示するベタ画像の色とを合わせる処理が行われる。
【先行技術文献】
【特許文献】
【０００７】
【特許文献１】特開２００３−０５１９５７号公報
【発明の概要】
【発明が解決しようとする課題】
【０００８】
上記のように、画像出力装置（携帯端末）が表示している画像を表示装置が表示する場合、画像出力装置が表示している画像の色と、表示装置が表示している画像の色とが大きく異なる場合がある。すなわち、画像出力装置と表示装置とが接続された状態で、画像出力装置が表示している画像を表示装置が表示する場合、画像出力装置を携帯するユーザーが所望する（イメージする）色の画像が表示装置により表示されない状態が生じるという問題がある。この問題を解決するためには、画像出力装置が表示する画像と表示装置が表示する画像とを使用した色調整が必要となる。
【０００９】
なお、関連技術Ａは、ディスプレイ（表示装置）が表示する画像の色と、印刷物が示す色とを使用して色調整（色合わせ）を行う技術であり、関連技術Ａは、上記の問題を解決するための色調整の技術ではない。
【００１０】
本発明は、このような問題を解決するためになされたものであり、画像出力装置が表示する画像と表示装置が表示する画像とを使用した色調整を行うことが可能な色調整システム等を提供することを目的とする。
【課題を解決するための手段】
【００１１】
上記目的を達成するために、本発明の一態様に係る色調整システムは、画像を表示し、該画像を出力する画像出力装置と、該画像出力装置から出力される該画像を表示する表示装置とを含む。前記表示装置は、画像の色の調整を行うための複数種類の色調整パラメータを使用して画像の色を変化させる機能を有し、前記画像出力装置は、画像を表示する表示部を備え、前記色調整システムは、前記表示部が第１画像を表示し、前記表示装置が、前記画像出力装置から出力されている画像である第２画像を表示した状態で、前記複数種類の色調整パラメータのいずれかに基づいて、前記第１画像または前記第２画像の色を調整する色調整処理を行う。
【発明の効果】
【００１２】
本発明によれば、色調整システムは、画像を表示し、該画像を出力する画像出力装置と、該画像出力装置から出力される該画像を表示する表示装置とを含む。前記色調整システムは、前記表示部が第１画像を表示し、前記表示装置が、前記画像出力装置から出力されている画像である第２画像を表示した状態で、前記複数種類の色調整パラメータのいずれかに基づいて、前記第１画像または前記第２画像の色を調整する色調整処理を行う。
【００１３】
これにより、画像出力装置が表示する画像と表示装置が表示する画像とを使用した色調整を行うことができる。
【図面の簡単な説明】
【００１４】
【図１】本発明の実施の形態１に係る色調整システムの構成を示す図である。
【図２】本発明の実施の形態１に係る表示装置内のハードウエア構成を示したブロック図である。
【図３】本発明の実施の形態１に係る画像出力装置内のハードウエア構成を示したブロック図である。
【図４】色調整制御処理Ｎのフローチャートである。
【図５】オリジナル画像および色変化画像を表示するための他の例を示す図である。
【図６】色調整制御処理Ａのフローチャートである。
【図７】色調整制御処理Ｂのフローチャートである。
【発明を実施するための形態】
【００１５】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１６】
＜実施の形態１＞
図１は、本発明の実施の形態１に係る色調整システム１０００の構成を示す図である。図１を参照して、色調整システム１０００は、表示装置１００と、画像出力装置２００とを含む。
【００１７】
表示装置１００は、例えば、液晶ディスプレイである。なお、表示装置１００は、液晶ディスプレイに限定されず、有機ＥＬ（Electroluminescence）ディスプレイ、プラズマディスプレイ等であってもよい。
【００１８】
表示装置１００は、動作モードとして、通常モードと、調整モードとを有する。調整モードは、画像の色合いを調整するための調整モードを有する。通常モードは、色合いの調整が行われていない場合の動作モードである。
【００１９】
画像出力装置２００は、ユーザーが携帯可能な携帯端末である。当該携帯端末は、例えば、スマートフォンである。なお、画像出力装置２００は、スマートフォンに限定されず、携帯電話、タブレット端末等であってもよい。
【００２０】
画像出力装置２００は、通信ケーブル３０により、表示装置１００と通信可能に接続される。通信ケーブル３０は、例えば、ＨＤＭＩ（登録商標）ケーブルである。なお、通信ケーブル３０は、ＨＤＭＩ（登録商標）ケーブルに限定されず、例えば、ＤＶＩ（Digital Visual Interface）規格、ＭＨＬ規格等に従ったケーブルであってもよい。
【００２１】
なお、画像出力装置２００と表示装置１００とがデータ通信を行う構成は、通信ケーブル３０を使用した構成に限定されず、無線通信によりデータ通信を行う構成であってもよい。以下においては、表示装置１００と画像出力装置２００とが互いに通信可能な状態を、通信可能状態ともいう。
【００２２】
詳細は後述するが、画像出力装置２００は、画像を表示し、該画像を表示装置１００へ出力する。表示装置１００は、画像出力装置２００から出力される該画像を表示する。すなわち、表示装置１００は、外部から受信している画像を表示する。
【００２３】
次に、表示装置１００について説明する。図２は、本発明の実施の形態１に係る表示装置１００内のハードウエア構成を示したブロック図である。図２に示されるように、表示装置１００は、主に、制御部１１０と、ＲＡＭ（Random Access Memory）１２０と、記憶部１２２と、表示部１４０と、入力部１５０と、通信部１７０とを備える。なお、表示装置１００は、図示していないチューナ等も備える。
【００２４】
制御部１１０、ＲＡＭ１２０、記憶部１２２、表示部１４０、入力部１５０および通信部１７０の各々は、互いにデータ通信可能なように、データバス１０２に接続されている。
【００２５】
制御部１１０は、例えば、ＣＰＵ（Central Processing Unit）である。なお、制御部１１０は、ＣＰＵに限定されることなく、演算機能を有するその他の回路であってもよい。制御部１１０は、記憶部１２２に記憶されている後述のプログラム５１を実行し、プログラム５１に基づいて、表示装置１００内の各部に対する各種処理や、演算処理等を行なう。
【００２６】
制御部１１０は、色調整部１１１と、画像処理部１１２とを含む。色調整部１１１および画像処理部１１２の全てまたは一部は、ハードウエアで構成されてもよい。また、色調整部１１１および画像処理部１１２の全てまたは一部は、制御部１１０により実行されるプログラムのモジュールであってもよい。なお、色調整部１１１および画像処理部１１２の各々が行う処理等については後述する。
【００２７】
ＲＡＭ１２０は、揮発性のメモリである。ＲＡＭ１２０は、制御部１１０によってデータアクセスされる。ＲＡＭ１２０は、一時的にデータを記憶するワークメモリとしての機能を有する。
【００２８】
記憶部１２２は、不揮発性のメモリである。記憶部１２２は、たとえば、ハードディスクドライブである。なお、記憶部１２２は、ハードディスクドライブに限定されることなく、不揮発性のメモリであれば、その他のメモリ（たとえば、フラッシュメモリ）であってもよい。記憶部１２２は、制御部１１０によって、データアクセスされる。記憶部１２２には、プログラム５１、後述の複数種類の色調整パラメータ６１、その他の各種データ等が記憶されている。
【００２９】
表示部１４０は、文字や画像等を表示する機能を有する。表示部１４０には、文字や画像等を表示する画面が設けられる。表示部１４０は、ＬＣＤパネル（Liquid Crystal Display Panel）を使用した装置である。なお、表示部１４０は、上記以外の表示方式のパネルを使用した装置であってもよい。
【００３０】
各色調整パラメータ６１は、表示部１４０の画面に表示される画像の色合い（色）を調整するためのデータである。色調整パラメータ６１は、例えば、ＲＧＢゲインデータである。ＲＧＢゲインデータは、表示部１４０の画面に表示される画像における、Ｒ（赤）ゲイン、Ｇ（緑）ゲインおよびＢ（青）ゲインを調整するためのデータである。
【００３１】
Ｒゲイン、ＧゲインおよびＢゲインの各々は、入力信号の強度に対して、実際に画面に表示される色の強さを示す。例えば、Ｒゲインは、赤色の信号の強度に対して、実際に画面に表示される赤色の強さを示す。ＲＧＢゲインデータは、Ｒゲインを示すＲゲインデータと、Ｇゲインを示すＧゲインデータと、Ｂゲインを示すＢゲインデータとから構成される。
【００３２】
なお、色調整パラメータ６１は、ＲＧＢゲインデータに限定されず、画面に表示される画像全体の色合いを調整するためのデータであれば、他のデータであってもよい。例えば、色調整パラメータ６１は、画像を構成する赤、緑、青の画素値を示すデータであってもよい。
【００３３】
詳細は後述するが、表示装置１００は、複数種類の色調整パラメータ６１を使用して画像の色を変化させる機能を有する。
【００３４】
入力部１５０は、表示装置１００を操作するための複数のボタンを含む。以下においては、ユーザーによる、入力部１５０の操作を、操作ＵＴともいう。
【００３５】
通信部１７０は、有線通信および無線通信を行う機能を有する。通信部１７０は、通信ケーブル３０を介して、画像出力装置２００と通信する。
【００３６】
次に、表示装置１００について説明する。図３は、本発明の実施の形態１に係る画像出力装置２００内のハードウエア構成を示したブロック図である。図３に示されるように、画像出力装置２００は、主に、制御部２１０と、ＲＡＭ２２０と、記憶部２２２と、表示部２４０と、入力部２５０と、通信部２７０とを備える。制御部２１０、ＲＡＭ２２０、記憶部２２２、表示部２４０、入力部２５０および通信部２７０の各々は、互いにデータ通信可能なように、データバス２０２に接続されている。
【００３７】
制御部２１０は、ＣＰＵである。なお、制御部２１０は、ＣＰＵに限定されることなく、演算機能を有するその他の回路であってもよい。
【００３８】
制御部２１０は、色調整部２１１を含む。色調整部２１１は、ハードウエアで構成されてもよい。また、色調整部２１１は、制御部２１０により実行されるプログラムのモジュールであってもよい。なお、色調整部２１１が行う処理等については後述する。制御部２１０は、記憶部２２２に記憶されている後述のプログラム５２を実行し、プログラム５２に基づいて、画像出力装置２００内の各部に対する各種処理や、演算処理等を行なう。
【００３９】
ＲＡＭ２２０は、揮発性のメモリである。ＲＡＭ２２０は、制御部２１０によってデータアクセスされる。ＲＡＭ２２０は、一時的にデータを記憶するワークメモリとしての機能を有する。
【００４０】
記憶部２２２は、不揮発性のメモリである。記憶部２２２は、たとえば、フラッシュメモリである。なお、記憶部２２２は、フラッシュメモリに限定されることなく、不揮発性のメモリであれば、その他のメモリ（たとえば、ハードディスクドライブ）であってもよい。記憶部２２２は、制御部２１０によって、データアクセスされる。記憶部２２２には、プログラム５２、複数種類の色調整パラメータ６１、その他の各種データ等が記憶されている。
【００４１】
なお、プログラム５２は、色調整プログラムを含む。色調整プログラムは、色調整システム１０００に対応したプログラム（アプリケーションソフト）である。すなわち、画像出力装置２００には、予め色調整プログラムがインストールされている。
【００４２】
表示部２４０は、文字や画像等を表示する機能を有する。表示部２４０には、文字や画像等を表示する画面が設けられる。表示部２４０は、ＬＣＤパネルを使用した装置である。なお、表示部２４０は、上記以外の表示方式のパネルを使用した装置であってもよい。
【００４３】
また、表示部２４０は、ユーザーが、画面に直接触れることで、情報入力可能なタッチパネル機能を有する。表示部２４０は、ユーザーが画面にタッチした位置を示す位置情報を、制御部２１０へ送信する。制御部２１０は、受信した位置情報に基づいて、所定の処理を行なう。すなわち、表示部２４０は、ユーザーが画像出力装置２００を操作するためのインターフェースである。
【００４４】
入力部２５０は、画像出力装置２００を操作するための複数のボタンを含む。以下においては、ユーザーによる、入力部２５０の操作または表示部２４０の画面に対するタッチ操作を、操作ＵＭともいう。
【００４５】
通信部２７０は、有線通信および無線通信を行う機能を有する。通信部２７０は、通信ケーブル３０を介して、表示装置１００と通信する。
【００４６】
次に、表示装置１００および画像出力装置２００の各々が表示する画像の色合い（色）を調整するための処理（以下、色調整制御処理Ｎともいう）について説明する。なお、画像出力装置２００の表示部２４０には画像が表示されているとする。表示部２４０が表示する画像は、例えば、図１の画像１０Ｎである。
【００４７】
図４は、色調整制御処理Ｎのフローチャートである。
【００４８】
ステップＳ１１０では、通信接続工程が行われる。通信接続工程では、ユーザーが、表示装置１００の通信部１７０と、画像出力装置２００の通信部２７０とを、通信ケーブル３０により接続する。これにより、表示装置１００と、画像出力装置２００とは、互いに通信可能な通信可能状態になる。
【００４９】
なお、通信接続工程では、通信ケーブル３０を用いずに、表示装置１００と画像出力装置２００とが、無線通信を行うことが可能なように設定されてもよい。
【００５０】
そして、通信可能状態において、制御部２１０は、通信部２７０を利用して、画像出力装置２００の表示部２４０が表示している画像１０Ｎを、表示装置１００へ継続的に送信（出力）する。すなわち、通信部２７０は、画像１０Ｎを、表示装置１００が表示するための画像として、表示装置１００へ継続的に出力する。
【００５１】
以下においては、画像出力装置２００から表示装置１００へ出力される画像を、オリジナル画像ともいう。オリジナル画像は、例えば、画像１０Ｎである。
【００５２】
ステップＳ１２０では、調整モード設定処理が行われる。調整モード設定処理では、制御部１１０が、表示装置１００の動作モードを、調整モードに設定する。
【００５３】
ステップＳ１３０では、色変化画像を生成する色変化画像生成処理が行われる。色変化画像とは、オリジナル画像（画像１０Ｎ）の色合いを変化させた画像である。
【００５４】
色変化画像生成処理では、制御部１１０の画像処理部１１２が、複数種類の色調整パラメータ６１を使用して、画像出力装置２００から出力されている画像１０Ｎの色（色合い）を互いに異なるように変化させた複数の色変化画像を生成する。そして、画像処理部１１２は、表示部１４０が、オリジナル画像（画像１０Ｎ）と画像処理部１１２により生成された複数の色変化画像とを、表示するように、表示部１４０を制御する。これにより、画像出力装置２００の表示部２４０は、表示装置１００が表示している画像と同じ画像を表示する。
【００５５】
ここで、一例として、画像処理部１１２が使用する色調整パラメータ６１の数は、１５個であるとする。また、１５個の色調整パラメータ６１は、赤、緑、青、黄色、水色、紫色等の色度を強くするためのデータであるとする。
【００５６】
この場合、画像処理部１１２は、１５個の色調整パラメータ６１を使用して、画像１０Ｎの色合いを互いに異なるように変化させた１５個の色変化画像を生成する。１５個の色変化画像は、図１の画像１１−１，１１−２，１１−３，１１−４，１１−５，１１−６，１１−７，１１−８，１１−９，１１−１０，１１−１１，１１−１２，１１−１３，１１−１４，１１−１５である。
【００５７】
以下においては、画像１１−１，１１−２，１１−３，１１−４，１１−５，１１−６，１１−７，１１−８，１１−９，１１−１０，１１−１１，１１−１２，１１−１３，１１−１４，１１−１５の各々を、総括的に、色変化画像とも表記する。また、以下においては、表示装置１００の表示部１４０が表示する画像１０Ｎを、画像１０Ａとも表記する。
【００５８】
すなわち、色変化画像生成処理では、画像処理部１１２が、１５個の色調整パラメータ６１に従って、オリジナル画像（画像１０Ｎ）のＲＧＢゲイン等を増加または減少させることにより、色合いの異なる１５種類の色変化画像を生成する。１５種類の色変化画像は、画像１０Ａ（オリジナル画像）と比較して、赤っぽい画像、緑っぽい画像、青っぽい画像、黄色っぽい画像、水色っぽい画像、紫色っぽい画像等である。
【００５９】
なお、色変化画像を生成する方法は、ＲＧＢゲインを変化させる方法に限定されない。色変化画像を生成する方法は、例えば、画像を構成する赤、緑、青の画素値を変化させる方法であってもよい。
【００６０】
なお、色調整プログラムは、１５個の色調整パラメータ６１にそれぞれ対応する１５個の色変化データを予め有する。すなわち、色調整プログラムは、１５種類の色変化画像にそれぞれ対応する１５個の色変化データを予め有する。色変化データとは、各色変化画像を生成するために、オリジナル画像を変化させた色と、当該色の変化量とを示すデータである。当該色の変化量は、例えば、ＲＧＢゲインの補正量である。なお、当該色の変化量は、ＲＧＢゲインの補正量に限定されず、赤、緑、青の画素値の変化量であってもよい。
【００６１】
色変化画像は、色調整パラメータ６１を用いて生成された画像である。すなわち、色変化データは、当該色変化データに対応する色変化画像の生成のために使用された色調整パラメータ６１に基づくデータである。
【００６２】
そして、表示部１４０は、画像処理部１１２の制御に従い、図１のように、画像１０Ａ（画像１０Ｎ）と、生成された１５種類の色変化画像（画像１１−１〜１１−１５）とを並べて表示する。これにより、ステップＳ１３０の処理は終了する。
【００６３】
ステップＳ１４０では、画像参照工程が行われる。画像参照工程では、ユーザーが、画像出力装置２００の表示部２４０に表示されている画像１０Ｎの色合いと、表示装置１００の表示部１４０に表示されている画像１０Ａ，１１−１〜１１−１５の色合いとを参照（比較）する。
【００６４】
以下においては、画像出力装置２００の表示部２４０が表示している画像を、表示画像ＭＧ１ともいう。表示画像ＭＧ１は、例えば、画像１０Ｎである。また、以下においては、表示装置１００の表示部１４０が表示している画像を、表示画像ＴＧ２ともいう。表示画像ＴＧ２は、例えば、画像１０Ａ，１１−１〜１１−１５である。
【００６５】
なお、表示画像ＭＧ１は、正確には、表示部２４０の画面に形成（表示）されている、ユーザーにより視認される画像である。また、表示画像ＴＧ２は、正確には、表示部１４０の画面に形成（表示）されている、ユーザーにより視認される画像である。
【００６６】
そして、ユーザーは、画像１０Ａ，１１−１〜１１−１５のうち、画像１０Ｎに最も色合いが近い画像に表示される番号を記憶する。以下においては、複数の表示画像ＴＧ（画像１０Ａ，１１−１〜１１−１５）のうち、表示画像ＭＧ１に最も色合いが近い画像を、色類似画像ともいう。色類似画像は、複数の色変化画像のうち、表示画像ＭＧ１に最も近い色変化画像である。
【００６７】
なお、色類似画像は、実際に、表示画像ＭＧ１に最も色合いが近い画像に限定されない。色類似画像は、複数の表示画像ＴＧ（画像１０Ａ，１１−１〜１１−１５）のうち、ユーザーが表示画像ＭＧ１に最も色合いが近い画像と判定した画像であってもよい。
【００６８】
ここで、一例として、画像出力装置２００の表示部２４０に表示されている画像１０Ｎが、表示装置１００の表示部１４０に表示されている画像１０Ａより、青の色度が強い（青っぽい）とする。また、この場合、色類似画像は、番号“８”を示す画像１１−７であるとする。この場合、ユーザーは、番号“８”を記憶する。
【００６９】
ステップＳ１５０では、ユーザーが、前述した色調整プログラムを実行させるための操作ＵＭを行う。これにより、制御部２１０は、色調整プログラムを実行させ、色調整プログラムに従った処理を行う。
【００７０】
色調整プログラムに従って動作する制御部２１０は、例えば、表示部２４０に、画像１０Ａ，１１−１〜１１−１５のいずれかを選択するための選択操作画像を一次的に画像１０Ｎに重畳して表示させる。選択操作画像は、番号を入力するための画像である。また、選択操作画像は、例えば、ユーザーに番号の入力を促すメッセージを示す。なお、ユーザーに番号の入力を促す手段は、メッセージに限定されず、例えば、音声等であってもよい。
【００７１】
ステップＳ１６０では、ユーザーは、色類似画像を選択するための選択操作を行う。選択操作は、前述の選択操作画像に対して行われる、画像１０Ａ，１１−１〜１１−１５のいずれかを選択するための操作ＵＭである。選択操作は、例えば、色類似画像に表示される番号（例えば、“８”）を入力する操作である。すなわち、ユーザーは、選択操作画像の指示に従い、色類似画像に表示される番号を入力する操作を行う。選択操作が行われた後、選択操作画像は表示部２４０により表示されなくなる。
【００７２】
なお、色類似画像を選択するための操作は、番号を入力する操作に限定されない。色類似画像を選択するための操作は、例えば、選択操作画像が複数の番号を表示した状態において、当該複数の番号の中から、ユーザーが色類似画像に対応する番号を選択する操作であってもよい。また、色類似画像を選択するための操作は、選択操作画像が、画像１０Ａ，画像１１−１〜１１−１５を縮小した画像を表示した状態において、縮小された複数の画像の中から、色類似画像を選択するための操作であってもよい。
【００７３】
以下においては、選択操作により選択された画像を選択画像ともいう。
【００７４】
なお、色変化データは、色調整プログラムが予め有していない構成としてもよい。この構成の場合、制御部２１０は、選択操作が行われた後、選択画像を生成するために使用されたパラメータ（変化させた色と、当該色の変化量等）を、表示装置１００の制御部１１０に問い合わせる。
【００７５】
ステップＳ１７０では、色調整部２１１により色調整処理Ｎが行われる。色調整処理Ｎは、要約すれば、表示部２４０が表示画像ＭＧ１を表示し、表示装置１００が、画像出力装置２００から出力されている画像（オリジナル画像）を表示した状態で、複数種類の色調整パラメータ６１のいずれかに基づいて、該表示画像ＭＧ１の色を調整する処理である。また、色調整処理Ｎは、表示画像ＭＧ１の色が、表示装置１００が表示している選択画像（表示画像ＴＧ２）の色になるように、複数種類の色調整パラメータ６１のいずれかに基づいて、該表示画像ＭＧ１の色を調整する処理である。
【００７６】
具体的には、色調整処理Ｎでは、色調整部２１１が、表示画像ＭＧ１の色合いが選択画像の色合いになるように、選択された色類似画像と、表示画像ＭＧ１との間における色の変化量に基づいて、表示画像ＭＧ１の色を調整する。
【００７７】
なお、色調整処理Ｎでは、画像出力装置２００が表示装置１００へ出力している画像１０Ｎの色の調整（補正）は行われない。
【００７８】
ここで、一例として、表示画像ＭＧ１が、表示画像ＴＧ２である画像１０Ａより、青の色度が強いとする。また、選択画像は、画像１１−７であるとする。なお、前述したように、色調整プログラムは、１５種類の色変化画像にそれぞれ対応する１５個の色変化データを予め有する。色変化データとは、各色変化画像を生成するためにオリジナル画像（画像１０Ｎ）を変化させた色と、当該色の変化量とを示すデータである。また、選択画像に対応する色変化データは、例えば、青色と、青の色度（ゲイン）をＫ％増加させた旨とを示すデータであるとする。
【００７９】
この場合、色調整処理Ｎでは、色調整部２１１が、表示画像ＴＧ２である選択画像（画像１１−７）に対応する色変化データを使用して、表示画像ＭＧ１の青の色度（ゲイン）をＫ％減少させる処理を行う。言い換えれば、色調整処理Ｎは、表示画像ＭＧ１のＲＧＢゲインデータを補正し、補正された該ＲＧＢゲインデータを使用して、表示画像ＭＧ１の色合い（色）の調整を行う。
【００８０】
なお、前述したように、色調整パラメータ６１は、例えば、赤、緑、青の画素値を示すデータであってもよい。この場合、色調整処理Ｎでは、色調整部２１１が、表示画像ＴＧ２である選択画像に対応する色変化データを使用して、表示画像ＭＧ１の青の各画素値をＫ％減少させる処理を行う。
【００８１】
なお、前述したように、色変化データは、当該色変化データに対応する色変化画像の生成のために使用された色調整パラメータ６１に基づくデータである。すなわち、色調整処理Ｎは、表示部２４０が表示画像ＭＧ１を表示し、表示装置１００が、画像出力装置２００から出力されている画像（オリジナル画像）を表示した状態で、複数種類の色調整パラメータ６１のいずれかに基づいて、該表示画像ＭＧ１の色を調整する処理である。
【００８２】
また、色調整処理Ｎは、表示画像ＭＧ１の色が、選択画像（表示画像ＴＧ２）の色になるように、複数種類の色調整パラメータ６１のいずれかに基づいて、該表示画像ＭＧ１の色を調整する処理である。
【００８３】
以上の色調整処理Ｎにより、画像出力装置２００の表示部２４０が表示している表示画像ＭＧ１の色合いと、表示装置１００の表示部１４０が表示している画像１０Ａ（表示画像ＴＧ２）の色合いとを一致させることができる。
【００８４】
そして、ステップＳ１８０では、調整モードの解除が行われる。具体的には、制御部１１０が、表示装置１００の動作モードを、調整モードから通常モードに変更する。そして、表示部１４０は、画像出力装置２００から出力されている画像（画像１０Ｎ）を、画像１０Ａとして、表示部１４０の画面全体に表示する。以上により、色調整制御処理Ｎは終了する。
【００８５】
以上説明したように、本実施の形態によれば、色調整システム１０００は、画像を表示し、該画像を出力する画像出力装置２００と、該画像出力装置２００から出力される該画像を表示する表示装置１００とを含む。色調整システム１０００は、表示部２４０が表示画像ＭＧ１を表示し、表示装置１００が、画像出力装置２００から出力されている画像（オリジナル画像）を表示した状態で、複数種類の色調整パラメータ６１のいずれかに基づいて、表示画像ＭＧ１の色を調整する色調整処理Ｎを行う。
【００８６】
これにより、画像出力装置２００が表示する画像と表示装置１００が表示する画像とを使用した色調整を行うことができる。
【００８７】
また、色調整システム１０００は、表示画像ＭＧ１の色が、選択画像（表示画像ＴＧ２）の色になるように、複数種類の色調整パラメータ６１のいずれかに基づいて、該表示画像ＭＧ１の色を調整する色調整処理Ｎを行う。したがって、画像出力装置２００が表示する画像の色と表示装置１００が表示する画像の色との違いの発生を抑制することができる。
【００８８】
また、本実施の形態によれば、表示装置１００が表示する画像と、画像出力装置２００の表示部２４０が表示する画像との色合わせができる。また、前述したように、画像出力装置２００が表示する画像の色と表示装置１００が表示する画像の色を一致させることができる。その結果、画像出力装置２００が表示する画像の色と表示装置１００が表示する画像の色との差をなくすことができる。その結果、ユーザーが所望する（イメージする）色の画像を、画像出力装置２００および表示装置１００において表示することができる。
【００８９】
なお、本実施の形態では、表示装置１００が、オリジナル画像と、当該オリジナル画像を利用して生成した複数の色変化画像とを並べて表示する構成としたがこれに限定されない。例えば、表示装置１００の表示部１４０は、図５のように、所定時間毎に、画像１０Ａおよび複数の色変化画像（画像１１−１〜１１−１５）を、順次、表示する構成（以下、変形構成Ａともいう）としてもよい。
【００９０】
＜実施の形態２＞
次に、本発明の実施の形態２ついて、詳細に説明する。実施の形態１では、画像出力装置２００が、当該画像出力装置２００が表示している画像の色合いを調整することにより、画像出力装置２００が表示している画像の色合いと、表示装置１００が表示している画像の色合いとを一致させる構成とした。
【００９１】
一方、本実施の形態では、画像出力装置２００が、表示装置１００へ出力する画像の色合いを調整（補正）する。
【００９２】
なお、本実施の形態に係る色調整システムは、図１の色調整システム１０００である。すなわち、本実施の形態に係る色調整システム１０００に含まれる表示装置１００および画像出力装置２００の構成は、実施の形態１と同様である。
【００９３】
以下においては、実施の形態２において、画像の色合い（色）を調整するための処理を、色調整制御処理Ａともいう。
【００９４】
図６は、色調整制御処理Ａのフローチャートである。図６において、図４のステップ番号と同じステップ番号の処理は、実施の形態１で説明した処理と同様な処理が行われるので詳細な説明は繰り返さない。以下、実施の形態１と異なる点を中心に説明する。
【００９５】
ステップＳ１１０〜Ｓ１６０では、実施の形態１と同様な処理が行われる。
【００９６】
ステップＳ１７０Ａでは、色調整部２１１により色調整処理Ａが行われる。色調整処理Ａは、要約すれば、表示部２４０が表示画像ＭＧ１を表示し、表示装置１００が、画像出力装置２００から出力されている画像（オリジナル画像）を表示した状態で、複数種類の色調整パラメータ６１のいずれかに基づいて、通信部２７０が出力している画像１０Ｎ（オリジナル画像）の色を調整する処理である。
【００９７】
また、色調整処理Ａは、表示画像ＭＧ１の色が、表示装置１００が表示している選択画像（表示画像ＴＧ２）の色になるように、複数種類の色調整パラメータ６１のいずれかに基づいて、通信部２７０が出力している画像１０Ｎ（オリジナル画像）の色を調整する処理である。
【００９８】
以下においては、画像出力装置２００が表示装置１００へ出力している画像を、出力画像ＯＧともいう。出力画像ＯＧは、画像１０Ｎである。すなわち、表示装置１００の表示部１４０は、出力画像ＯＧ（オリジナル画像）を、画像１０Ａとして表示する。
【００９９】
具体的には、色調整処理Ａでは、色調整部２１１が、表示画像ＭＧ１の色合いが選択画像の色合いになるように、選択された色類似画像と、表示画像ＭＧ１（出力画像ＯＧ）との間における色の変化量に基づいて、出力画像ＯＧの色を調整する。
【０１００】
ここで、一例として、表示画像ＭＧ１が、表示画像ＴＧ２である画像１０Ａより、青の色度が強いとする。また、選択画像は、画像１１−７であるとする。また、選択画像に対応する色変化データは、例えば、青色と、青の色度（ゲイン）をＫ％増加させた旨とを示すデータであるとする。
【０１０１】
この場合、色調整処理Ａでは、色調整部２１１が、表示画像ＴＧ２である選択画像（画像１１−７）に対応する色変化データを使用して、出力画像ＯＧの青の色度（ゲイン）をＫ％増加させる処理を行う。言い換えれば、色調整処理Ａは、出力画像ＯＧのＲＧＢゲインデータを補正し、補正された該ＲＧＢゲインデータを使用して、出力画像ＯＧの色合い（色）の調整を行う。
【０１０２】
これにより、通信部２７０が表示装置１００へ継続的に出力している出力画像ＯＧの色合いは、選択画像（例えば、画像１１−７）の色合いと一致する。
【０１０３】
なお、前述したように、色調整パラメータ６１は、例えば、赤、緑、青の画素値を示すデータであってもよい。この場合、色調整処理Ａでは、色調整部２１１が、表示画像ＴＧ２である選択画像に対応する色変化データを使用して、出力画像ＯＧの青の各画素値をＫ％増加させる処理を行う。
【０１０４】
なお、前述したように、色変化データは、当該色変化データに対応する色変化画像の生成のために使用された色調整パラメータ６１に基づくデータである。すなわち、色調整処理Ａは、表示部２４０が表示画像ＭＧ１を表示し、表示装置１００が、画像出力装置２００から出力されている画像（オリジナル画像）を表示した状態で、複数種類の色調整パラメータ６１のいずれかに基づいて、該出力画像ＯＧ（オリジナル画像）の色を調整する処理である。また、色調整処理Ｎは、表示画像ＭＧ１の色が、選択画像（表示画像ＴＧ２）の色になるように、複数種類の色調整パラメータ６１のいずれかに基づいて、該出力画像ＯＧの色を調整する処理である。
【０１０５】
以上の色調整処理Ａにより、画像出力装置２００の表示部２４０が表示している表示画像ＭＧ１（画像１０Ｎ）の色合いと、表示装置１００の表示部１４０が表示している画像１０Ａ（出力画像ＯＧ）の色合いとを一致させることができる。
【０１０６】
そして、実施の形態１と同様に、ステップＳ１７０Ａが行われることにより、表示部１４０は、画像出力装置２００から出力されている出力画像ＯＧを、画像１０Ａとして、表示部１４０の画面全体に表示する。そして、色調整制御処理Ａは終了する。
【０１０７】
以上説明したように、本実施の形態によれば、画像出力装置２００が表示装置１００へ出力する画像の色合いを調整する構成においても、実施の形態１と同様な効果を得ることができる。
【０１０８】
なお、本実施の形態において、表示装置１００が色変化画像を表示する構成は、実施の形態１で述べた変形構成Ａとしてもよい。すなわち、表示装置１００の表示部１４０は、図５のように、所定時間毎に、画像１０Ａおよび複数の色変化画像（画像１１−１〜１１−１５）を、順次、表示する構成としてもよい。
【０１０９】
＜実施の形態３＞
次に、本発明の実施の形態３ついて、詳細に説明する。実施の形態１では、画像出力装置２００が、当該画像出力装置２００が表示している画像の色合いを調整することにより、画像出力装置２００が表示している画像の色合いと、表示装置１００が表示している画像の色合いとを一致させる構成とした。
【０１１０】
一方、本実施の形態では、表示装置１００が、当該表示装置１００が表示している、画像出力装置２００から受信する画像の色合いを調整する。
【０１１１】
なお、本実施の形態に係る色調整システムは、図１の色調整システム１０００である。すなわち、本実施の形態に係る色調整システム１０００に含まれる表示装置１００および画像出力装置２００の構成は、実施の形態１と同様である。以下においては、実施の形態３において、画像の色合い（色）を調整するための処理を、色調整制御処理Ｂともいう。
【０１１２】
図７は、色調整制御処理Ｂのフローチャートである。図７において、図４のステップ番号と同じステップ番号の処理は、実施の形態１で説明した処理と同様な処理が行われるので詳細な説明は繰り返さない。以下、実施の形態１と異なる点を中心に説明する。
【０１１３】
ステップＳ１１１〜Ｓ１４０では、実施の形態１と同様な処理が行われる。なお、ステップＳ１３０の処理により、表示部１４０は、画像出力装置２００から表示装置１００へ継続的に出力されているオリジナル画像（画像１０Ｎ）と画像処理部１１２により生成された複数の色変化画像とを、表示する。
【０１１４】
ステップＳ１５０Ｂでは、選択要求処理が行われる。選択要求処理は、色類似画像の選択をユーザーに促すための処理である。選択要求処理は、図４のステップＳ１５０の処理と同様な処理が行われる。
【０１１５】
具体的には、制御部２１０は、例えば、表示部２４０に、画像１０Ａ，１１−１〜１１−１５のいずれかを選択するための選択操作画像を一次的に画像１０Ｎに重畳して表示させる。選択操作画像は、番号を入力するための画像である。また、選択操作画像は、例えば、ユーザーに番号の入力を促すメッセージを示す。なお、ユーザーに番号の入力を促す手段は、メッセージに限定されず、例えば、音声等であってもよい。
【０１１６】
ステップＳ１６０では、実施の形態１と同様な処理が行われるので詳細な説明は繰り返さない。以下、簡単に説明する。
【０１１７】
ユーザーは、色類似画像を選択するための選択操作を行う。選択操作は、例えば、色類似画像に表示される番号（例えば、“８”）を入力する操作である。選択操作が行われた後、選択操作画像は表示されなくなる。前述したように、選択操作により選択された画像は、選択画像である。
【０１１８】
以下においては、表示装置１００が、表示装置１００から受信する出力画像ＯＧを、受信画像ＩＧともいう。受信画像ＩＧは、画像出力装置２００の表示部２４０が表示している画像１０Ｎ（表示画像ＭＧ１）である。
【０１１９】
ステップＳ１８０では、実施の形態１で説明した処理と同様な処理が行われるので詳細な説明は繰り返さない。ステップＳ１８０の処理により、表示部１４０は、画像出力装置２００から出力されている画像（受信画像ＩＧ）を、表示画像ＴＧ２として、表示部１４０の画面全体に表示する。
【０１２０】
ステップＳ１９０Ｂでは、表示装置１００の色調整部１１１により色調整処理Ｂが行われる。色調整処理Ｂは、要約すれば、表示部２４０が表示画像ＭＧ１を表示し、表示装置１００が、画像出力装置２００から出力されている画像（オリジナル画像）を表示した状態で、複数種類の色調整パラメータ６１のいずれかに基づいて、該受信画像ＩＧの色を調整する処理である。
【０１２１】
また、色調整処理Ｂは、表示画像ＭＧ１の色が、表示部１４０が表示している受信画像ＩＧ（表示画像ＴＧ２）の色になるように、複数種類の色調整パラメータ６１のいずれかに基づいて、該受信画像ＩＧの色を調整する処理である。
【０１２２】
具体的には、色調整処理Ｂは、画像処理部１１２により生成された複数の色変化画像のうち、選択された色変化画像の生成のために使用された色調整パラメータ６１を使用して、受信画像ＩＧの色を調整する処理である。さらに具体的には、色調整処理Ｂは、表示画像ＭＧ１の色が表示部１４０が表示している受信画像ＩＧの色になるように、画像処理部１１２により生成された複数の色変化画像のうち、選択された色変化画像（色類似画像）の生成のために使用された色調整パラメータ６１を使用して、該受信画像ＩＧの色を調整する処理である。
【０１２３】
そして、色調整部１１１は、色を調整した受信画像ＩＧを、表示部１４０の画面全体に表示させる。そして、色調整処理Ｂは終了する。
【０１２４】
ここで、一例として、表示画像ＭＧ１が、ステップＳ１３０の処理により表示された表示画像ＴＧ２である画像１０Ａより、青の色度が強いとする。また、選択画像は、画像１１−７であるとする。また、ステップＳ１３０の色変化画像生成処理において、画像処理部１１２は、色調整パラメータ６１を用いて、オリジナル画像（画像１０Ｎ）の青の色度（ゲイン）をＫ％増加させることにより、画像１１−７を生成したとする。
【０１２５】
この場合、色調整処理Ｂでは、色調整部１１１が、画像１１−７の生成に使用された色調整パラメータ６１を使用して、受信画像ＩＧの青の色度（ゲイン）をＫ％増加させる処理を行う。言い換えれば、色調整処理Ｂは、受信画像ＩＧのＲＧＢゲインデータを補正し、補正された該ＲＧＢゲインデータを使用して、受信画像ＩＧの色合い（色）の調整を行う。
【０１２６】
そして、そして、色調整部１１１は、色を調整した受信画像ＩＧを、表示部１４０の画面全体に表示させる。
【０１２７】
これにより、表示装置１００の表示部１４０が表示する、画像出力装置２００から受信する受信画像ＩＧの色合いは、画像出力装置２００の表示部２４０が表示する表示画像ＭＧ１の色合いと一致する。
【０１２８】
なお、前述したように、色調整パラメータ６１は、例えば、赤、緑、青の画素値を示すデータであってもよい。この場合、色調整処理Ｂでは、色調整部１１１が、画像１１−７の生成に使用された色調整パラメータ６１を使用して、受信画像ＩＧの青の各画素値をＫ％増加させる処理を行う。すなわち、色調整処理Ｂは、表示画像ＭＧ１の色が、受信画像ＩＧ（表示画像ＴＧ２）の色になるように、複数種類の色調整パラメータ６１のいずれかに基づいて、該受信画像ＩＧの色を調整する処理である。
【０１２９】
以上の色調整処理Ｂにより、画像出力装置２００の表示部２４０が表示している表示画像ＭＧ１の色合いと、表示装置１００の表示部１４０が表示している表示画像ＴＧ２（受信画像ＩＧ）の色合いとを一致させることができる。
【０１３０】
以上説明したように、本実施の形態によれば、表示装置１００が、当該表示装置１００が表示している、画像出力装置２００から受信する画像の色合いを調整する構成においても、実施の形態１と同様な効果を得ることができる。
【０１３１】
なお、本実施の形態において、表示装置１００が色変化画像を表示する構成は、実施の形態１で述べた変形構成Ａとしてもよい。すなわち、表示装置１００の表示部１４０は、図５のように、所定時間毎に、画像１０Ａおよび複数の色変化画像（画像１１−１〜１１−１５）を、順次、表示する構成としてもよい。
【０１３２】
（その他の変形例）
以上、本発明に係る色調整システム、画像出力装置および表示装置について、実施の形態に基づいて説明したが、本発明は、これら実施の形態に限定されるものではない。本発明の主旨を逸脱しない範囲内で、当業者が思いつく変形を本実施の形態に施したものも、本発明に含まれる。つまり、本発明は、その発明の範囲内において、各実施の形態を自由に組み合わせたり、各実施の形態を適宜、変形、省略することが可能である。
【０１３３】
また、表示装置１００は、図２に示される全ての構成要素を含まなくてもよい。すなわち、表示装置１００は、本発明の効果を実現できる最小限の構成要素のみを含めばよい。また、画像出力装置２００は、図３に示される全ての構成要素を含まなくてもよい。すなわち、画像出力装置２００は、本発明の効果を実現できる最小限の構成要素のみを含めばよい。
【０１３４】
また、本発明は、画像出力装置２００または表示装置１００が備える特徴的な構成部の動作をステップとする色調整方法として実現してもよい。また、本発明は、当該色調整方法に含まれる各ステップをコンピュータが実行してもよい。また、本発明は、そのような色調整方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０１３５】
上記実施の形態で用いた全ての数値は、本発明を具体的に説明するための一例の数値である。すなわち、本発明は、上記実施の形態で用いた各数値に制限されない。
【０１３６】
また、本発明に係る色調整方法は、図４、図６または図７のフローチャートの一部または全てに相当する。本発明に係る色調整方法は、図４、図６または図７における、対応する全てのステップを必ずしも含む必要はない。すなわち、本発明に係る色調整方法は、本発明の効果を実現できる最小限のステップのみを含めばよい。
【０１３７】
また、色調整方法における各ステップの実行される順序は、本発明を具体的に説明するための一例であり、上記以外の順序であってもよい。また、色調整方法におけるステップの一部と、他のステップとは、互いに独立して並列に実行されてもよい。
【０１３８】
なお、本発明は、その発明の範囲内において、各実施の形態を自由に組み合わせたり、各実施の形態を適宜、変形、省略することが可能である。
【符号の説明】
【０１３９】
６１  色調整パラメータ、１００  表示装置、１１１，２１１  色調整部、１１２  画像処理部、１４０，２４０  表示部、１７０，２７０  通信部、２００  画像出力装置、１０００  色調整システム。
【図１】
2014222804.tif 000003
【図２】
2014222804.tif 000004
【図３】
2014222804.tif 000005
【図４】
2014222804.tif 000006
【図５】
2014222804.tif 000007
【図６】
2014222804.tif 000008
【図７】
2014222804.tif 000009